(57)【要約】      （修正有）【課題】利用者の商品購入金額に見合ったプレミアム金をポイントに置換えて蓄積し、第三者に譲ったり、現金に換算し年金として利用者に還元するプレミアム貯蓄年金システムを提供する。【解決手段】利用者及び販売業者と契約を取交わすシステムセンターのセンターコンピュータは、利用者の商品購入金額に見合ったプレミアム金を受信するプレミアム金受信手段と、プレミアム金を蓄積するプレミアム金蓄積手段と、プレミアム金をプレミアムポイントに換算するポイント換算手段と、プレミアムポイントを蓄積するポイント蓄積手段と、プレミアムポイントを照会するポイント照会手段と、プレミアムポイントを商品の購入、割引に利用するポイント利用手段と、プレミアムポイントを買取るポイント買取手段と、年金保険の追加払込み保険料にあてる現金に換算する現金換算手段と、プレミアムポイントを他の利用者に移行するポイント移行手段とを備える。【選択図】図１
2010079822.tif 000002
【特許請求の範囲】
【請求項１】
利用者が販売業者から商品を購入した際、購入した商品購入金額に見合ったプレミアム金を蓄積し、利用者が加入した年金保険の保険会社から、将来年金として利用者に還元するプレミアム貯蓄年金システムであって、本システムのサービスを提供するために、利用者及び利用者が購入する商品を取り扱う販売業者とそれぞれ契約を取り交わすシステムセンターにセンターコンピュータを備え、前記センターコンピュータは、利用者が購入した商品購入金額に見合ったプレミアム金を受信するプレミアム金受信手段と、前記プレミアム金受信手段で受信したプレミアム金を蓄積するプレミアム金蓄積手段と、前記蓄積したプレミアム金をプレミアムポイントに換算するポイント換算手段と、換算したプレミアムポイントを蓄積するポイント蓄積手段と、利用者の端末からのポイント照会要求を受信して蓄積したプレミアムポイントを照会するポイント照会手段と、利用者の端末からのポイント支払要求を受信して蓄積したプレミアムポイントの一部を販売業者が取り扱う商品の購入、割引に利用するポイント利用手段と、利用者の端末からのポイント支払要求を受信して一定の水準以上に蓄積したプレミアムポイントを買い取るポイント買取手段と、前記ポイント買取手段により買い取ったプレミアムポイントを利用者が加入した年金保険の追加払込み保険料に充当するための現金に換算する現金換算手段と、利用者の端末からのポイント移行要求を受信して蓄積したプレミアムポイントの一部を他の利用者のポイント蓄積手段に移行するポイント移行手段と、を備えたことを特徴とするプレミアム貯蓄年金システム。
【請求項２】
前記センターコンピュータは、前記システムセンターと契約を取り交わしたシステム加盟利用者であることを認証するための利用者情報保存装置、前記システムセンターと契約を取り交わしたシステム加盟販売業者であることを認証するための販売業者情報保存装置を備えたことを特徴とする請求項１記載のプレミアム貯蓄年金システム。
【請求項３】
前記センターコンピュータは、前記ポイント蓄積手段により利用者毎にプレミアムポイントを蓄積するポイント蓄積装置を備えたことを特徴とする請求項１記載のプレミアム貯蓄年金システム。
【請求項４】
前記センターコンピュータは、前記ポイント換算手段により前記プレミアム金をプレミアムポイントに換算するポイント換算レート保存装置及び前記現金換算手段により前記プレミアムポイントを現金に換算する現金換算レート保存装置を備えたことを特徴とする請求項１記載のプレミアム貯蓄年金システム。
【請求項５】
前記ポイント換算レート保存装置及び前記現金換算レート保存装置は、それぞれ換算時の経済情勢に連動して変化する特定値を乗算して得られるポイント換算率及び現金換算率を備えたことを特徴とする請求項４記載のプレミアム貯蓄年金システム。
【請求項６】
前記センターコンピュータは、前記システム加盟販売業者が商品毎に設定したプレミアム金情報を保存する販売商品情報保存装置を備えたことを特徴とする請求項１記載のプレミアム貯蓄年金システム。
【請求項７】
前記プレミアム金は、消費者蓄積分、販売業者還元分、環境保護及び文化・芸術振興への引当分に区分けされ、前記システムセンターのセンターコンピュータにそれぞれ蓄積・管理されることを特徴とする請求項１記載のプレミアム貯蓄年金システム。
【請求項８】
前記蓄積したプレミアムポイントは、販売業者が取り扱う商品の購入、割引に充当することを特徴とする請求項１記載のプレミアム貯蓄年金システム。
【請求項９】
前記蓄積したプレミアムポイントが一定の水準以上に達したら現金に換算して、利用者が加入した年金保険の追加払込み保険料に充当させ、将来年金として利用者に還元することを特徴とする請求項１記載のプレミアム貯蓄年金システム。
【請求項１０】
前記蓄積したプレミアムポイントは、利用者から当該利用者の認証を受けた他の利用者への移行を可能としたことを特徴とする請求項１記載のプレミアム貯蓄年金システム。
【発明の詳細な説明】
【技術分野】
【０００１】
本発明は、利用者が、例えば、コンサートの入場券、レストランの食事等も含めた様々な商品を販売業者から購入する際に、販売業者自身が任意に設定した商品購入金額に見合ったプレミアム金をポイントに換算して蓄積し、それを将来、年金として利用者に還元するようにしたプレミアム貯蓄年金システムに関する。
【背景技術】
【０００２】
従来から、一般の消費者が、小売店、飲食店等がクレジット会社と提携して発行する会員カードを持参すると、購入金額に応じたポイントが会員カードに記録され、或る程度ポイントが蓄積した時点で、この会員カードを提示すると、累積ポイントに応じた景品や商品の割引等の特典が与えられるポイントカードシステムが知られている（例えば、特許文献１参照）。
しかしながら、従来のポイントカードシステムでは、以下に列挙したように幾つかの問題点があった。
（イ）小売店、飲食店毎に会員カードが発行され、どの店で、どのカードが使用できるかよく分からなくなる。
（ロ）会員カードが多すぎて、買い物をする際に、目指すカードを選び出すのに時間が掛かる。
（ハ）特典は、カード取り扱いの店舗またはグループ店舗内に限られる。
（ニ）ポイントサービスは、そのカードの取り扱える範囲内での商品に限られる。
（ホ）ポイントによっては有効期限があり、使わないと消滅する。
【０００３】
【特許文献１】特開平９−２１２７４１号公報
【発明の開示】
【発明が解決しようとする課題】
【０００４】
本発明の出願人は、先に、先願発明（特開２００２−１８９９６４号公報）において、従来のポイントカードシステムの問題点を改善するために、商品を購入する都度、購入金額に見合った報償としてのプレミアム金を預託し、一定期間の経過後に、消費者は、所定の契約条件に基づいて預託金の返済を受けられる様にした、商品購入時のプレミアム金貯蓄システムを提案している。
【０００５】
しかしながら、当該システムは、従来の問題点を改善できるものの、当該システムに参加する販売店や金融機関に対し、対応するネットワーク構築に大きな投資と手間が必要になる等の新たな問題点が発生した。
【０００６】
また、最近の社会問題として、公的年金問題がクローズアップされているように、現役引退後の将来に公的年金の受給に不安を感じる人が多く、公的年金制度だけでは豊かな老後生活を確保することが難しくなっている。
【０００７】
本発明は、上記の問題点に鑑みてなされたものであり、利用者が、例えば、コンサートの入場券、レストランの食事等も含めた様々な商品を購入する際に、販売業者自身が任意に設定した商品購入金額に見合ったプレミアム金を一度ポイントに置き換えて蓄積し、その蓄積したポイントを親、子、孫等の第三者に譲ったり、再度、現金に換算し、将来、年金として利用者に還元するようにしたプレミアム貯蓄年金システムを提供することを目的とする。
【課題を解決するための手段】
【０００８】
上記目的を達成するため、請求項１のプレミアム貯蓄年金システムは、利用者が販売業者から商品を購入した際、購入した商品購入金額に見合ったプレミアム金を蓄積し、利用者が加入した年金保険の保険会社から、将来年金として利用者に還元するプレミアム貯蓄年金システムであって、本システムのサービスを提供するために、利用者及び利用者が購入する商品を取り扱う販売業者とそれぞれ契約を取り交わすシステムセンターにセンターコンピュータを備え、センターコンピュータは、利用者が購入した商品購入金額に見合ったプレミアム金を受信するプレミアム金受信手段と、プレミアム金受信手段で受信したプレミアム金を蓄積するプレミアム金蓄積手段と、蓄積したプレミアム金をプレミアムポイントに換算するポイント換算手段と、換算したプレミアムポイントを蓄積するポイント蓄積手段と、利用者の端末からの照会要求を受信して蓄積したプレミアムポイントを照会するポイント照会手段と、利用者の端末からのポイント支払要求を受信して蓄積したプレミアムポイントの一部を販売業者が取り扱う商品の購入、割引に利用するポイント利用手段と、利用者の端末からのポイント支払要求を受信して一定の水準以上に蓄積したプレミアムポイントを買い取るポイント買取手段と、ポイント買取手段により買い取ったプレミアムポイントを利用者が加入した年金保険の追加払込み保険料に充当するための現金に換算する現金換算手段と、利用者の端末からのポイント移行要求を受信して蓄積したプレミアムポイントの一部を他の利用者のポイント蓄積手段に移行するポイント移行手段と、を備えたことを特徴とするものである。
【０００９】
また、請求項２のプレミアム貯蓄年金システムは、請求項１記載のプレミアム貯蓄年金システムであって、センターコンピュータは、システムセンターと契約を取り交わしたシステム加盟利用者であることを認証するための利用者情報保存装置、システムセンターと契約を取り交わしたシステム加盟販売業者であることを認証するための販売業者情報保存装置を備えたことを特徴とするものである。
【００１０】
また、請求項３のプレミアム貯蓄年金システムは、請求項１記載のプレミアム貯蓄年金システムであって、センターコンピュータは、ポイント蓄積手段により利用者毎にプレミアムポイントを蓄積するポイント蓄積装置を備えたことを特徴とするものである。
【００１１】
また、請求項４のプレミアム貯蓄年金システムは、請求項１記載のプレミアム貯蓄年金システムであって、センターコンピュータは、ポイント換算手段によりプレミアム金をプレミアムポイントに換算するポイント換算レート保存装置及び現金換算手段によりプレミアムポイントを現金に換算する現金換算レート保存装置を備えたことを特徴とするものである。
【００１２】
また、請求項５のプレミアム貯蓄年金システムは、請求項４記載のプレミアム貯蓄年金システムであって、ポイント換算レート保存装置及び現金換算レート保存装置は、それぞれ換算時の経済情勢に連動して変化する特定値を乗算して得られるポイント換算率及び現金換算率を備えたことを特徴とするものである。
【００１３】
また、請求項６のプレミアム貯蓄年金システムは、請求項１記載のプレミアム貯蓄年金システムであって、センターコンピュータは、システム加盟販売業者が商品毎に設定したプレミアム金情報を保存する販売商品情報保存装置を備えたことを特徴とするものである。
【００１４】
また、請求項７のプレミアム貯蓄年金システムは、請求項１記載のプレミアム貯蓄年金システムであって、プレミアム金は、消費者蓄積分、販売業者還元分、環境保護及び文化・芸術振興への引当分に区分けされ、システムセンターのセンターコンピュータにそれぞれ蓄積・管理されることを特徴とするものである。
【００１５】
また、請求項８のプレミアム貯蓄年金システムは、請求項１記載のプレミアム貯蓄年金システムであって、蓄積したプレミアムポイントは、販売業者が取り扱う商品の購入、割引に充当することを特徴とするものである。
【００１６】
また、請求項９のプレミアム貯蓄年金システムは、請求項１記載のプレミアム貯蓄年金システムであって、蓄積したプレミアムポイントが一定の水準以上に達したら現金に換算して、利用者が加入した年金保険の追加払込み保険料に充当させ、将来年金として利用者に還元することを特徴とするものである。
【００１７】
また、請求項１０のプレミアム貯蓄年金システムは、請求項１記載のプレミアム貯蓄年金システムであって、蓄積したプレミアムポイントは、利用者から当該利用者の認証を受けた他の利用者への移行を可能としたことを特徴とするものである。
【発明の効果】
【００１８】
本発明によるプレミアム貯蓄年金システムによれば、本システムのサービスを提供するために、利用者及び利用者が購入する商品を取り扱う販売業者とそれぞれ契約を取り交わすシステムセンターにセンターコンピュータを備え、センターコンピュータは、利用者が購入した商品購入金額に見合ったプレミアム金を受信するプレミアム金受信手段と、プレミアム金受信手段で受信したプレミアム金を蓄積するプレミアム金蓄積手段と、蓄積したプレミアム金をプレミアムポイントに換算するポイント換算手段と、換算したプレミアムポイントを蓄積するポイント蓄積手段と、利用者の端末からの照会要求により蓄積したプレミアムポイントを送信するポイント情報送信手段と、利用者の端末からのポイント支払要求により蓄積したプレミアムポイントの一部を販売業者が取り扱う商品の購入、割引に利用する購入・割引手段と、利用者の端末からのポイント支払要求により一定の水準以上に蓄積したプレミアムポイントを買い取るポイント買取手段とポイント買取手段により買い取ったプレミアムポイントを利用者が加入した年金保険の追加払込み保険料に充当するための現金に換算する現金換算手段と利用者の端末からのポイント移行要求により蓄積したプレミアムポイントの一部を他の利用者のポイント蓄積手段に移行するポイント移行手段とを備えたので、本システムの機能をシステムセンターに備えた１台のセンターコンピュータに凝縮することができ、大きな投資と手間をかけなくてもネットワーク構築が可能となった。
【００１９】
また、センターコンピュータは、システムセンターと契約を取り交わしたシステム加盟利用者であることを認証するための利用者情報保存装置及びシステムセンターと契約を取り交わしたシステム加盟販売業者であることを認証するための販売業者情報保存装置並びにポイント蓄積手段により利用者毎にプレミアムポイントを蓄積するポイント蓄積装置を備えたので、利用者及び販売業者がシステムセンターと正当な契約を取り交わしたことが速やかに認証可能となった。
【００２０】
また、センターコンピュータは、ポイント換算手段によりプレミアム金をプレミアムポイントに換算するポイント換算レート保存装置及び現金換算手段によりプレミアムポイントを現金に換算する現金換算レート保存装置を備え、ポイント換算レート保存装置及び現金換算レート保存装置は、それぞれ換算時の経済情勢に連動して変化する特定値を乗算して得られるポイント換算率及び現金換算率を備えたので、そのときの経済情勢に反映した換算率で換算することができる。
【００２１】
また、センターコンピュータは、システム加盟販売業者が商品毎に設定したプレミアム金情報を保存する販売商品情報保存装置を備えたので、プレミアム金の任意変更が可能となった。
【００２２】
また、プレミアム金は、消費者蓄積分、販売業者還元分、環境保護及び文化・芸術振興への引当分に区分けされ、システムセンターのセンターコンピュータにそれぞれ蓄積・管理されるので、商品の購入が環境や文化・芸術、伝統技術の伝承に役立つとともに消費者本人の将来にも役立つことが出来る。
【００２３】
また、蓄積したプレミアムポイントは、販売業者が取り扱う商品の購入、割引に充当することができる。
【００２４】
また、蓄積したプレミアムポイントが一定の水準以上に達したら現金に換算して、利用者が加入した年金保険の追加払込み保険料に充当させ、将来年金として利用者に還元することができる。
【００２５】
また、蓄積したプレミアムポイントは、利用者から当該利用者の認証を受けた他の利用者への移行を可能とすることができる。
【発明を実施するための最良の形態】
【００２６】
本発明の実施の形態を、添付図面に例示した本発明の実施例に基づいて、以下に具体的に説明する。
【実施例】
【００２７】
先ず、本発明の実施例について、図を参照しながら説明する。図１は、プレミアム貯蓄年金システム（以下、本システムと言う）の全体の構成を示したシステム概念図である。図２は、図１におけるセンターコンピュータの機能を示すブロック図である。
【００２８】
図１において、Ｓは本システムの運用を統括するための運用機関であるシステムセンター、Ｕは本システムのサービスを受ける利用者、Ｍはコンサートの入場券、レストランの食事等も含めた様々な商品を販売する販売業者、Ｆは利用者Ｕと保険契約を締結している保険会社である。
【００２９】
システムセンターＳは本システムの運用を統括するためにセンターコンピュータＳＣを備えている。センターコンピュータＳＣは、利用者Ｕが購入した商品購入金額に見合ったプレミアム金を受信するプレミアム金受信手段ＳＣ１、プレミアム金受信手段ＳＣ１で受信したプレミアム金を蓄積するプレミアム金蓄積手段ＳＣ２、蓄積したプレミアム金をプレミアムポイントに換算するポイント換算手段ＳＣ３、換算したプレミアムポイントを蓄積するポイント蓄積手段ＳＣ４、利用者の端末からの照会要求を受信して蓄積したプレミアムポイントを照会するポイント照会手段ＳＣ５、利用者の端末からのポイント支払要求を受信して蓄積したプレミアムポイントの一部を販売業者が取り扱う商品の購入、割引に利用するポイント利用手段ＳＣ６、利用者の端末からのポイント支払要求を受信して一定の水準以上に蓄積したプレミアムポイントを買い取るポイント買取手段ＳＣ７、ポイント買取手段により買い取ったプレミアムポイントを利用者が加入した年金保険の追加払込み保険料に充当するための現金に換算する現金換算手段ＳＣ８、利用者の端末からのポイント移行要求を受信して蓄積したプレミアムポイントの一部を他の利用者Ｖのポイント蓄積手段に移行するポイント移行手段ＳＣ９を備えている。
【００３０】
また、蓄積されたプレミアム金は、消費者蓄積分ＳＣ１０、販売業者還元分ＳＣ１１、環境保護及び文化・芸術振興への引当分ＳＣ１２に区分けされ、システムセンターのセンターコンピュータにそれぞれ蓄積・管理されている。
【００３１】
利用者ＵはシステムセンターＳとの間で、本システムへの加盟契約を結ぶことによって、本システムがもたらすサービスを享受することができる。利用者Ｕは本システムのサービスを受けるため、本システムに対応するＩＣチップを携帯電話に搭載したシステム対応端末ＵＴを所有する。このシステム対応端末ＵＴには画面を表示する機能があり、顧客本人の特定操作によりプレミアム金を換算したプレミアムポイントの蓄積状況が画面表示できる。また、蓄積したポイントを販売業者Ｍが取り扱う商品の購入、割引に利用する活用についても、システム対応端末ＵＴから操作する。
【００３２】
販売業者ＭはシステムセンターＳとの間で、本システムへの加盟契約を結んだうえ、販売レジスターＭＲが直結された販売業者コンピュータＭＫを設置する。販売業者コンピュータＭＫは、ネットワークＷを介してシステムセンターＳのセンターコンピュータＳＣと利用者Ｕのシステム対応端末ＵＴとに夫々接続されている。また、販売業者Ｍはコンサートの入場券、レストランの食事等も含めた様々な商品に対して正当な評価を行ない、それに見合ったプレミアム金を設定する。プレミアム金の設定は、各販売業者に委ねられるのが一般的であるが、第三者的な評価組織にて環境など様々な観点から査定を行ない、公正にプレミアム金を決める方法を採っても構わない。
【００３３】
保険会社Ｆは本システムの特徴であるプレミアム金をポイントに換算して蓄積し、それを将来、年金として利用者Ｕに還元するために保険料追加払込み型保険商品ＦＡを開発する。この保険商品ＦＡは毎月一定の保険料に加え、追加の保険料の払込みを可能とし、蓄積したポイントを現金に換算して追加払込み保険料に充当させ、払込み期間満了後に受け取る年金の原資とすることができる。
【００３４】
次に、図２を用いて、センターコンピュータＳＣの機能を詳細に説明する。センターコンピュータＳＣは、中央演算装置６００と、ポイント蓄積装置６１０と、プレミアム金蓄積装置６１１と、利用者情報保存装置６１２と、販売業者情報保存装置６１３と、ポイント換算レート保存装置６１４と、現金換算レート保存装置６１５と、販売商品情報保存装置６１６とからなる。
【００３５】
中央演算装置６００は、センターコンピュータＳＣにアクセスするシステム加盟販売業者を認証する販売業者認証手段６２０と、システム加盟販売業者のアクセス要求を解析する販売業者要求取得手段６２１と、商品購入時に付加されるプレミアム金を受信する購入商品プレミアム金受信手段６２２と、利用者情報保存装置６１２から、商品購入によってプレミアム金を受け取る利用者を検索する利用者検索手段６２３と、購入商品プレミアム金受信手段６２２により受信したプレミアム金をプレミアム金蓄積装置６１１に蓄積するプレミアム金蓄積手段６２４と、プレミアム金蓄積装置６１１に蓄積したプレミアム金をポイント換算レート保存装置６１４に保存されている換算レートに従いポイントに換算する蓄積ポイント換算手段６２５と、換算したポイントをポイント蓄積装置６１０に蓄積する購入商品ポイント蓄積手段６２６と、システム加盟販売業者が販売商品毎に設定したプレミアム金の情報を受信する販売商品プレミアム金受信手段６２７と、システム加盟販売業者が商品毎に設定したプレミアム金情報を保存している販売商品情報保存装置６１６の各種データを変更する販売商品プレミアム金変更手段６２８とを備えている。
【００３６】
また、中央演算装置６００は、センターコンピュータＳＣにアクセスする利用者を認証する利用者認証手段６３０と、利用者のアクセス要求を解析する利用者要求取得手段６３１と、利用者要求取得手段６３１のアクセス要求解析から蓄積したポイントの支払要求を受信するポイント支払要求受信手段６４０と、ポイントの支払要求によりポイント蓄積装置６１０に蓄積された一部のポイントを販売業者が取り扱う商品の購入、割引に利用するポイント利用手段６４１と、ポイントの支払要求によりポイント蓄積装置６１０に蓄積された一定の水準以上のポイントを買い取るポイント買取手段６４２と、買い取ったポイントを現金換算レート保存装置６１５に保存されている換算レートに従い現金に換算する現金換算手段６４３とを備えている。
【００３７】
また、中央演算装置６００は、利用者のアクセス要求を解析する利用者要求取得手段６３１のアクセス要求解析から利用者が指定した他の利用者へポイントの移行要求を受信するポイント移行要求受信手段６５０と、利用者情報保存装置６１２を検索しポイント移行先の利用者が存在するか否かを判断するポイント移行先検索手段６５１と、ポイント移行先の利用者が存在する場合、ポイント蓄積装置６１０に蓄積された一部のポイントを指定した他の利用者へポイントを移行するポイント移行手段６５２とを備えている。
【００３８】
また、中央演算装置６００は、利用者のアクセス要求を解析する利用者要求取得手段６３１のアクセス要求解析から利用者が現在のポイント蓄積状態の照会要求を受信するポイント照会要求受信手段６６０と、ポイント蓄積装置６１０から利用者のポイント蓄積状態を検索するポイント検索手段６６１と、検索したポイント蓄積状態を利用者に送信するポイント照会手段６６２とを備えている。
【００３９】
以上のように構成された本システムの作用について説明する。先ず、本システムの開設にあたり、その運用を統括するための運用機関であるシステムセンターＳを設立する。システムセンターＳは、本システムの運用を統括するためにセンターコンピュータＳＣを備えている。
【００４０】
また、システムセンターＳは、本システムに加盟する店舗、劇場、レストラン等の販売業者を集い、センターコンピュータＳの販売業者情報保存装置６１３に登録する。登録された販売業者Ｍは、コンサートの入場券、レストランの食事等を含めた様々な商品に対して正当な評価を行ない、それに見合ったプレミアム金を設定する。プレミアム金の設定は、各販売業者に委ねられるのが一般的であるが、第三者的な評価組織にて環境など様々な観点から査定を行ない、公正にプレミアム金を決める方法を採っても構わない。
【００４１】
利用者が本システムのサービスを受けるには、本システムを統括するシステムセンターＳとの間で、本システムへの加盟契約を結び、システム対応端末ＵＴを特定するＩＣチップのＩＤ、利用者Ｕを特定する会員ＩＤ、氏名、住所、性別、生年月日等の情報をセンターコンピュータＳの利用者情報保存装置６１２に登録することによって成立する。また、利用者Ｕには、本システムに加盟する条件として、システムセンターＳと提携する保険会社Ｆと年金保険の保険契約を締結することを条件とする。
【００４２】
本システムへの加盟契約を結んだ利用者Ｕが、同じく本システムに加盟する販売業者Ｍからコンサートの入場券、レストランの食事等も含めた様々な商品を購入し、本システムに対応するシステム対応端末ＵＴにより販売業者Ｍの販売レジスターＭＲで支払いを済ませると、システム対応端末ＵＴを特定するＩＣチップのＩＤと商品購入金額が販売レジスターＭＲに直結された販売業者コンピュータＭＫに入力され、システム対応端末ＵＴのＩＤと商品購入金額に見合ったプレミアム金ｋ１が販売業者コンピュータＭＫからネットワークＷを経由してセンターコンピュータＳＣに送信される。
【００４３】
センターコンピュータＳＣは本システムに加盟する販売業者Ｍの販売業者コンピュータＭＫからのアクセスを受け付けると、中央演算装置６００の販売業者認証手段６２０により販売業者情報保存装置６１３を検索してシステムに加盟する販売業者か否かを確認する。システムに加盟する販売業者Ｍと認証できた場合には、販売業者要求取得手段６２１に制御を移し、システム加盟販売業者Ｍの接続要求内容を解析する。
【００４４】
販売業者要求取得手段６２１の解析結果がシステム加盟販売業者Ｍの設定する商品毎に付加するプレミアム金の変更であった場合、販売商品プレミアム金受信手段６２７に制御を移し、プレミアム金変更情報を受信する。プレミアム金変更情報を受信した後、販売商品プレミアム金変更手段６２８に制御を移し、販売商品プレミアム金変更手段６２８は販売商品情報保存装置６１６に保存された、商品毎に設定したプレミアム金情報の変更を行う。
【００４５】
また、解析結果が利用者Ｕの商品購入によるプレミアム金ｋ１の受信であった場合には、購入商品プレミアム金受信手段６２２に制御を移し、商品購入によって利用者Ｕが受け取るプレミアム金ｋ１を受信した後、利用者検索手段６２３に制御を移す。
【００４６】
利用者検索手段６２３は、利用者情報保存装置６１２を検索し、送信されたシステム対応端末ＵＴのＩＤと一致する利用者Ｕがあるかないかを確認する。利用者Ｕが確認できた場合、プレミアム金蓄積手段６２４に制御を移し、購入商品プレミアム金受信手段６２２によって受信したプレミアム金ｋ１を利用者毎にプレミアム金蓄積装置６１１に蓄積する。
【００４７】
蓄積されたプレミアム金は、消費者蓄積分、販売業者還元分、環境保護及び文化・芸術振興への引当分に区分けされ、システムセンターＳのセンターコンピュータＳＣのプレミアム金蓄積装置６１１にそれぞれ蓄積・管理され、消費者蓄積分として蓄積されたプレミアム金は、蓄積ポイント換算手段６２５によりポイント換算レート保存装置６１２を参照し、換算時の経済情勢に連動して変化する特定値を乗算して得られるポイント換算率によりプレミアム金ｋ１をプレミアムポイントｐ１に換算する。プレミアムポイントに換算完了の後、購入商品ポイント蓄積手段６２６に制御を移し、利用者毎に区分けされたポイント蓄積装置６１０にプレミアムポイントの蓄積を行う。
【００４８】
次に、利用者Ｕが所有するシステム対応端末ＵＴで、センターコンピュータＳＣにアクセスすると、中央演算装置６００の利用者認証手段６３０は利用者情報保存装置６１２を検索し、本システムへの加盟契約を結んだ利用者Ｕと一致する利用者Ｕであるかないかを確認し、一致する利用者であると確認された場合、利用者要求取得手段６３１に制御を移し、利用者Ｕのアクセス理由を解析する。
【００４９】
利用者要求取得手段６３１にて、利用者Ｕの要求がポイント蓄積状況の照会要求であれば、ポイント照会要求受信手段６６０に制御を移す。ポイント照会要求受信手段６６０はポイント照会要求を受信した後、ポイント検索手段６６１に制御を移す。ポイント検索手段６６１は、ポイント蓄積装置６１０に保存された利用者毎のポイント情報をポイント照会要求受信手段６６０にて受信した照会条件にしたがって検索する。検索完了後、ポイント照会手段６６２に制御を移す。ポイント照会手段６６２は、ポイント検索結果を利用者Ｕのシステム対応端末ＵＴに送信し、システム対応端末ＵＴの画面にポイント情報を表示する。
【００５０】
また、利用者要求取得手段６３１にて、利用者Ｕの要求が蓄積したポイントの支払要求であれば、ポイント支払要求受信手段６４０に制御を移し、利用者Ｕの支払要求を解析した後、解析結果がポイント蓄積装置６１０に蓄積された一部のポイントを販売業者が取り扱う商品の購入、割引に利用する場合、ポイント利用手段６４１に制御を移し、販売業者が取り扱う商品の購入、割引に利用する。
【００５１】
また、利用者Ｕの支払要求を解析した後、解析結果がポイント蓄積装置６１０に蓄積された一定の水準以上のポイントを買い取る場合、ポイント買取手段６４２に制御を移し、買い取ったポイントは、現金換算手段６４３により現金換算レート保存装置６１５を参照し、換算時の経済情勢に連動して変化する特定値を乗算して得られる現金換算率によりプレミアムポイントを現金に換算する。
【００５２】
換算された現金は、利用者Ｕと保険契約を締結している保険会社Ｆが開発した保険料追加払込み型保険商品ＦＡの追加払込み保険料に充当させ、払込み期間満了後に受け取る年金の原資とすることができる。
【００５３】
また、利用者要求取得手段６３１にて、利用者Ｕの要求が蓄積したポイントの移行要求であれば、ポイント移行要求受信手段６５０に制御を移す。ポイント移行要求受信手段６５０は利用者が指定した移行先利用者情報を受信した後、ポイント移行先検索手段６５１に制御を移す。ポイント移行先検索手段６５１は利用者情報保存装置６１２を検索し、移行先利用者Ｖが存在していることを確認した後、ポイント移行手段６５２に制御を移す。ポイント移行手段６５２は、ポイント蓄積装置６１０に格納されている利用者Ｕのポイントをポイント移行要求受信手段６５０にて受信した移行先利用者Ｖのポイント蓄積装置６１０にポイントの移行蓄積を行う。
【００５４】
以上説明したように、本発明のプレミアム貯蓄年金システムによれば、従来のポイントカードシステムの問題点を改善するために、商品を購入する都度、購入金額に見合った報償としてのプレミアム金を預託し、一定期間の経過後に、所定の契約条件に基づいて預託金の返済を受けられる様にした先願発明に対し、本発明のプレミアム貯蓄年金システムの機能をシステムセンターに備えた１台のセンターコンピュータに凝縮したので、本システムに参加する販売業者等のネットワーク構築に大きな投資と手間をかけなくても可能となった。
【００５５】
また、蓄積したプレミアム金を一度ポイントに置き換えて蓄積し、その蓄積したポイントを親、子、孫等の第三者に譲ったり、再度、ポイントを現金に換算し、将来、年金として利用者に還元するようにしたので、公的年金制度を補完して豊かな老後生活を確保することが可能となった。
【００５６】
また、ポイントを現金に換算する現金換算レートは、換算時の経済情勢に連動して変化する特定値を乗算して得られる現金換算率で換算するので、一定期間の経過後であっても、消費者に不利になることはない。
【００５７】
さらに、本システムによれば、本システムに加盟する店舗、劇場、レストラン等の販売業者にてコンサートなどの文化芸術活動、レストランの食事等を含めた様々な商品に対して、利用者に将来年金として還元されるプレミアム金が付くので、商品購入のリピータが期待できる。
【図面の簡単な説明】
【００５８】
【図１】本発明のプレミアム貯蓄年金システムの全体の構成を示したシステム概念図である。
【図２】同、センターコンピュータの機能を示すブロック図である。
【符号の説明】
【００５９】
Ｓ  システムセンター
Ｕ  利用者
Ｍ  販売業者
Ｆ  保険会社
Ｖ  他の利用者
ＳＣ  センターコンピュータ
ＳＣ１  プレミアム金受信手段
ＳＣ２  プレミアム金蓄積手段
ＳＣ３  ポイント換算手段
ＳＣ４  ポイント蓄積手段
ＳＣ５  ポイント照会手段
ＳＣ６  ポイント利用手段
ＳＣ７  ポイント買取手段
ＳＣ８  現金換算手段
ＳＣ９  ポイント移行手段
６１２  利用者情報保存装置
６１３  販売業者情報保存装置
６１０  ポイント蓄積装置
６１４  ポイント換算レート保存装置
６１５  現金換算レート保存装置
６１６  販売商品情報保存装置
【図１】
2010079822.tif 000003
【図２】
2010079822.tif 000004